【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
無線通信を介して接続される車載端末とコンテンツ配信サーバとを備えるコンテンツ配信システムであって、
前記コンテンツ配信サーバは、
前記無線通信の通信状態が悪い通信不良場所で前記車載端末により利用される可能性が高いコンテンツを特定し、前記車載端末を搭載した車両が前記通信不良場所に到達する前に、前記特定したコンテンツを前記車載端末に送信する事前送信部を備え、
前記車載端末は、
前記事前送信部により送信されたコンテンツを保存する車載端末保存部を備えるコンテンツ配信システム。
【請求項２】
請求項１に記載のコンテンツ配信システムにおいて、
前記コンテンツ配信サーバには、前記車載端末が複数接続されており、
前記コンテンツ配信サーバの前記事前送信部は、前記複数の車載端末における過去のコンテンツ利用履歴に基づいて、前記通信不良場所で利用される可能性が高いコンテンツを特定するコンテンツ配信システム。
【請求項３】
請求項１または２に記載のコンテンツ配信システムにおいて、
前記車載端末は、
前記コンテンツ配信サーバからコンテンツを取得した際の前記無線通信の通信状態および前記車両の位置に関する行動履歴情報を送信する行動履歴取得部をさらに備え、
前記コンテンツ配信サーバの前記事前送信部は、前記行動履歴取得部から送信された前記行動履歴情報に基づいて前記無線通信の通信状態とアクセス頻度がコンテンツごとに記録されたコンテンツ取得テーブルを用いて、前記通信不良場所で利用される可能性が高いコンテンツを特定するコンテンツ配信システム。
【請求項４】
請求項１または２に記載のコンテンツ配信システムにおいて、
前記コンテンツ配信サーバは、前記車両の出発地から目的地への経路を算出する経路算出部をさらに備え、
前記コンテンツ配信サーバの前記事前送信部は、前記経路算出部により算出された経路中の前記通信不良場所で前記車載端末により利用される可能性が高いコンテンツを特定し、当該車載端末に配信するコンテンツ配信システム。
【請求項５】
請求項１または２に記載のコンテンツ配信システムにおいて、
前記コンテンツ配信サーバの前記事前送信部は、前記車両の位置の周辺における前記通信不良場所で前記車載端末により利用される可能性が高いコンテンツを特定し、当該車載端末に送信するコンテンツ配信システム。
【請求項６】
請求項１に記載のコンテンツ配信システムにおいて、
前記車載端末と前記コンテンツ配信サーバとの通信を中継し、前記車載端末とともに移動する携帯端末と、
前記コンテンツ配信サーバからの要求に応じてコンテンツを提供するコンテンツ提供サーバと、をさらに備え、
前記携帯端末は、前記事前送信部により送信されたコンテンツを保存する携帯端末保存部を備え、
前記コンテンツ配信サーバは、コンテンツを保存するサーバ保存部をさらに備え、
前記コンテンツ配信サーバの前記事前送信部は、前記コンテンツを前記コンテンツ提供サーバから取得し、前記サーバ保存部、前記携帯端末保存部、および前記車載端末保存部のいずれか１つに保存させるコンテンツ配信システム。
【請求項７】
請求項６に記載のコンテンツ配信システムにおいて、
前記コンテンツ配信サーバの前記事前送信部は、前記無線通信の通信状態、および／または前記コンテンツが利用される頻度に基づき、前記サーバ保存部、前記携帯端末保存部、および前記車載端末保存部のいずれに前記コンテンツを保存させるかを決定するコンテンツ配信システム。
【請求項８】
請求項７に記載のコンテンツ配信システムにおいて、
前記コンテンツ配信サーバの前記事前送信部は、
前記無線通信の通信状態、および／または前記コンテンツが利用される頻度に基づき、前記コンテンツの優先度を設定し、
前記コンテンツの優先度が高い場合には、前記コンテンツを前記車載端末保存部に保存させ、前記コンテンツの優先度が中程度の場合には、前記コンテンツを前記携帯端末保存部に保存させ、前記コンテンツの優先度が低い場合には、前記コンテンツを前記サーバ保存部に保存させるコンテンツ配信システム。
【請求項９】
請求項１に記載のコンテンツ配信システムにおいて、
前記車載端末は、前記無線通信の通信状態、および／またはコンテンツが利用される頻度に基づき、前記車載端末保存部から削除するコンテンツを決定するキャッシュ削除部をさらに備えるコンテンツ配信システム。
【請求項１０】
請求項１に記載のコンテンツ配信システムを構成するコンテンツ配信サーバ。
【請求項１１】
車両に搭載される車載端末であって、
利用するコンテンツがユーザにより選択される入力部と、
前記選択されたコンテンツを無線通信を介してコンテンツ配信サーバから取得する通信部と、
前記コンテンツ配信サーバからコンテンツを取得した際の前記無線通信の通信状態および前記車両の位置に関する行動履歴情報を前記コンテンツ配信サーバに送信する行動履歴取得部と、
前記無線通信の通信状態が悪い場所で車載端末により利用されるコンテンツを取得するコンテンツ事前取得部と、
前記コンテンツ事前取得部が取得したコンテンツを保存するコンテンツ保存部と、
前記選択されたコンテンツが前記コンテンツ保存部に保存されている場合は当該コンテンツ保存部に保存されているコンテンツを利用し、前記選択されたコンテンツが前記コンテンツ保存部に保存されていない場合は前記通信部を用いてコンテンツを取得し利用する制御部と、を備える車載端末。
【請求項１２】
無線通信を介して車載端末にコンテンツを配信するコンテンツ配信方法であって、
前記無線通信の通信状態が悪い通信不良場所で前記車載端末により利用される可能性が高いコンテンツを特定し、
前記車載端末を搭載した車両が前記通信不良場所に到達する前に、前記特定したコンテンツを前記車載端末に送信するコンテンツ配信方法。
【手続補正２】
【補正対象書類名】明細書
【補正対象項目名】０００５
【補正方法】変更
【補正の内容】
【０００５】
本発明によるコンテンツ配信システムは、無線通信を介して接続される車載端末とコンテンツ配信サーバとを備える。コンテンツ配信サーバは、無線通信の通信状態が悪い通信不良場所で車載端末により利用される可能性が高いコンテンツを特定し、車載端末を搭載した車両が通信不良場所に到達する前に、特定したコンテンツを車載端末に送信する事前送信部と、を備える。車載端末は、事前送信部により送信されたコンテンツを保存する車載端末保存部を備える。
本発明によるコンテンツ配信サーバは、コンテンツ配信システムを構成する。
本発明による利用する車載端末は、車両に搭載される車載端末であって、コンテンツがユーザにより選択される入力部と、選択されたコンテンツを無線通信を介してコンテンツ配信サーバから取得する通信部と、コンテンツ配信サーバからコンテンツを取得した際の無線通信の通信状態および車両の位置に関する行動履歴情報をコンテンツ配信サーバに送信する行動履歴取得部と、無線通信の通信状態が悪い場所で車載端末により利用されるコンテンツを取得するコンテンツ事前取得部と、コンテンツ事前取得部が取得したコンテンツを保存するコンテンツ保存部と、選択されたコンテンツがコンテンツ保存部に保存されている場合は当該コンテンツ保存部に保存されているコンテンツを利用し、選択されたコンテンツがコンテンツ保存部に保存されていない場合は通信部を用いてコンテンツを取得し利用する制御部と、を備える。
本発明によるコンテンツ配信方法は、無線通信を介して車載端末にコンテンツを配信する。本発明によるコンテンツ配信方法は、無線通信の通信状態が悪い通信不良場所で車載端末により利用される可能性が高いコンテンツを特定し、車載端末を搭載した車両が通信不良場所に到達する前に、特定したコンテンツを車載端末に送信する。